(57)【特許請求の範囲】
【請求項１】
遊技盤面上に配置され、入賞に応じて大当たりを発生させるために作動する役物が始動する始動口として、第１始動口と、開放状態及び閉鎖状態へと変移可能であり、その開放状態として通常開放と、通常開放よりも入賞率の高い特別開放へと変移し得る第２始動口とを備え、前記第１始動口に入賞したことを示す第１始動信号と、前記第２始動口に入賞したことを示す第２始動信号とを出力可能な遊技機の遊技情報を遊技者に対して表示する遊技情報表示装置であって、
前記第１始動信号と前記第２始動信号とを遊技信号として受信する受信手段と、
前記受信手段による遊技信号の受信により前記第１始動口に入賞したこと、及び前記第２始動口に入賞したことを遊技情報として特定する遊技情報特定手段と、
前記遊技情報特定手段により特定される遊技情報により、第１始動口に入賞してから、次に第１始動口に入賞するまでの第２始動口への入賞数、或いは前記第２始動口への入賞時点を基点とした予め設定される設定時間内の第２始動口への入賞数である判定Ｓを特定する判定情報特定手段と、
前記特別開放が行われたことを特定するために前記判定Ｓに対して設定される基準値である基準Ｓを設定する設定手段と、
前記判定Ｓと前記基準Ｓとを比較することにより前記特別開放が行われたか否かを判定する判定処理を行う判定手段と、
前記判定結果により特定される遊技情報である特別開放情報を表示する表示手段と、を備え、
前記特別開放情報は、前記特別開放が行われた回数である特別開放数、前記特別開放により生じた第２始動口の入賞数である特別入賞数、前記特別開放により生じた前記第２始動口の入賞に応じて前記役物が作動した回数である特別スタート、当該特別スタートを前記役物が作動した回数から除いた残スタート、前記特別開放により生じた前記第２始動口の入賞に応じて前記役物が作動したことにより発生した開放大当たり数、前記特別開放数と前記役物の作動数との割合を示すＫＳ、及び前記特別スタートと前記開放大当たり数との割合を示す開放ＴＳのうち少なくとも１つであることを特徴とする遊技情報表示装置。
【請求項２】
遊技盤面上に配置され、入賞に応じて大当たりを発生させるために作動する役物が始動する始動口として、第１始動口と、開放状態及び閉鎖状態へと変移可能であり、その開放状態として通常開放と、通常開放よりも入賞率の高い特別開放へと変移し得る第２始動口とを備え、前記第１始動口に入賞したことを示す第１始動信号と、前記第２始動口に入賞したことを示す第２始動信号とを出力可能な遊技機の遊技情報を遊技者に対して表示する遊技情報表示装置であって、
前記第１始動信号と前記第２始動信号とを遊技信号として受信する受信手段と、
前記受信手段による遊技信号の受信により前記第１始動口に入賞したこと、及び前記第２始動口に入賞したことを遊技情報として特定する遊技情報特定手段と、
前記遊技情報特定手段により特定される遊技情報により、第１始動口に入賞してから、次に第１始動口に入賞するまでの第２始動口への入賞数、或いは前記第２始動口への入賞時点を基点とした予め設定される設定時間内の第２始動口への入賞数である判定Ｓを特定する判定情報特定手段と、
前記特別開放が行われたことを特定するために前記判定Ｓに対して設定される基準値である基準Ｓを設定する設定手段と、
前記判定Ｓと前記基準Ｓとを比較することにより前記特別開放が行われたか否かを判定する判定処理を行う判定手段と、
前記判定結果により特定される遊技情報である特別開放情報を表示する表示手段と、
前記判定手段により前記特別開放が行われた旨の判定結果が得られた場合に、前記判定Ｓを前記特別開放により生じた第２始動口の入賞数である特別入賞、及び当該入賞に応じて前記役物が作動した回数を示す特別スタートのうち少なくとも一方とし、前記特別開放情報として特定する開放情報特定手段と、を備えたことを特徴とする遊技情報表示装置。
【請求項３】
前記判定手段により前記特別開放が行われた旨の判定結果が得られた場合に、前記判定Ｓを前記特別開放により生じた第２始動口の入賞数である特別入賞、及び当該入賞に応じて前記役物が作動した回数を示す特別スタートのうち少なくとも一方とし、前記特別開放情報として特定する開放情報特定手段を備えたことを特徴とする請求項１に記載した遊技情報表示装置。
【請求項４】
前記遊技機は、前記役物が作動したことを示すスタート信号を出力可能であり、
前記受信手段は、前記スタート信号を遊技信号として受信し、
前記遊技情報特定手段は、前記受信手段による遊技信号の受信により前記役物が作動したことを遊技情報として特定し、
前記開放情報特定手段は、前記判定手段により前記特別開放が行われた旨の判定結果が得られた場合に、前記判定Ｓを前記特別入賞とする一方、当該判定結果を得た後に前記遊技情報特定手段により前記役物が作動したことが特定された場合に、当該特別入賞を減算し、
前記表示手段は、前記判定手段により前記特別開放が行われた旨の判定結果が得られたことを条件として前記遊技機が特別開放し、当該特別開放により前記第２始動口に入賞したことにより役物が作動していることを示す特別開放表示を開始し、前記開放情報特定手段により前記特別入賞が減算され、予め設定される終了値となることを条件として、当該特別開放表示を終了することを特徴とする請求項２又は３に記載した遊技情報表示装置。
【請求項５】
前記遊技機は、大当たりの発生期間を特定可能な大当たり信号を出力可能であり、
前記受信手段は、前記大当たり信号を遊技信号として受信し、
前記遊技情報特定手段は、前記受信手段による遊技信号の受信により前記大当たりの発生期間を特定し、
前記開放情報特定手段は、前記特別入賞を特定し、当該特別入賞が前記終了値となる前に大当たりが発生した場合に、当該大当たりを前記開放大当たりとし、前記特別開放情報として特定することを特徴とする請求項４に記載した遊技情報表示装置。
【請求項６】
前記遊技機は、通常状態よりも遊技者にとって有利な状態である特別状態を発生可能である一方、前記役物の作動中に前記第２始動口に入賞した場合に当該入賞に応じた前記役物の作動を所定の上限値まで保留可能であり、前記役物の作動を大当たり中には行わない一方、前記特別状態では行い、更に前記特別状態の発生期間を特定可能な特別状態信号と、大当たりの発生期間を特定可能な大当たり信号とを出力可能であり、
前記受信手段は、前記特別状態信号と、前記大当たり信号とを遊技信号として受信し、
前記遊技情報特定手段は、前記受信手段による遊技信号の受信により前記特別状態の発生期間、及び前記大当たりの発生期間を特定し、
前記開放情報特定手段は、前記特別入賞を特定し、当該特別入賞が前記終了値となる前に大当たりが発生し、その後、通常状態へと移行した場合に、当該大当たりの終了後に特別状態が発生しなければ当該特別入賞を維持して前記特別開放表示を行う一方、特別状態が発生すれば当該特別入賞を初期化して前記特別開放表示を行わないことを特徴とする請求項４又は５に記載した遊技情報表示装置。
【発明の詳細な説明】
【技術分野】
【０００１】
本発明は、第１始動口に入賞したことを示す第１始動信号と、第２始動口に入賞したことを示す第２始動信号とを出力可能な遊技機の遊技情報を遊技者に対して表示する遊技情報表示装置に関する。
【背景技術】
【０００２】
現状、市場の多数を占めるパチンコ遊技機（以下、遊技機）は、複数の始動口を備え、各々の始動口への入賞に応じて図柄変動を行うように構成されている。このような遊技機に対応するため、各々の始動口に対応した図柄変動数や大当たり数等の遊技情報を遊技者へと提供する提案がなされている（例えば特許文献１参照）。
【先行技術文献】
【特許文献】
【０００３】
【特許文献１】特開２００５−３２８９３０号公報
【発明の概要】
【発明が解決しようとする課題】
【０００４】
上記した複数の始動口は、入賞率が変動しない第１始動口と、普図の抽選結果に応じて電チューが所定時間開放する所謂電チュータイプの第２始動口とがある。第２始動口は、特別状態時には、その普図の図柄変動時間が短縮されたり開放時間が長くなったりすることで、その入賞率が高くなるように構成されている。
【０００５】
さて、このような遊技機であって近年の遊技機は、第２始動口の開放時間や開放回数が異なる等、普図の１回の抽選結果に対して期待される入賞数や入賞率の異なる開放態様が予め複数設定され、通常状態のままであっても、抽選結果によっては入賞率の高い開放態様が選択される場合があり、大当たりまでの期間における興趣を向上させている。遊技者は、このような開放態様に関わる遊技情報を把握したいと考えるが、遊技機からは開放態様を直接的に特定可能な遊技信号が出力されず、遊技信号に基づいて遊技情報を特定する遊技情報表示装置では、この開放態様に関わる遊技情報を特定することが困難であった。
【０００６】
本発明は、上記した事情に鑑みてなされたものであり、その目的は、始動口における特定の開放態様に関わる遊技情報を、その開放態様を直接的に特定可能な遊技信号が出力されなくとも特定することを可能とする遊技情報表示装置を提供することにある。
【課題を解決するための手段】
【０００７】
請求項１に記載した発明は、遊技盤面上に配置され、入賞に応じて大当たりを発生させるために作動する役物が始動する始動口として、第１始動口と、開放状態及び閉鎖状態へと変移可能であり、その開放状態として通常開放と、通常開放よりも入賞率の高い特別開放へと変移し得る第２始動口とを備え、前記第１始動口に入賞したことを示す第１始動信号と、前記第２始動口に入賞したことを示す第２始動信号とを出力可能な遊技機の遊技情報を遊技者に対して表示する遊技情報表示装置であって、前記第１始動信号と前記第２始動信号とを遊技信号として受信する受信手段と、前記受信手段による遊技信号の受信により前記第１始動口に入賞したこと、及び前記第２始動口に入賞したことを遊技情報として特定する遊技情報特定手段と、前記遊技情報特定手段により特定される遊技情報により、第１始動口に入賞してから、次に第１始動口に入賞するまでの第２始動口への入賞数、或いは前記第２始動口への入賞時点を基点とした予め設定される設定時間内の第２始動口への入賞数である判定Ｓを特定する判定情報特定手段と、前記特別開放が行われたことを特定するために前記判定Ｓに対して設定される基準値である基準Ｓを設定する設定手段と、前記判定Ｓと前記基準Ｓとを比較することにより前記特別開放が行われたか否かを判定する判定処理を行う判定手段と、前記判定結果により特定される遊技情報である特別開放情報を表示する表示手段と、を備え、前記特別開放情報は、前記特別開放が行われた回数である特別開放数、前記特別開放により生じた第２始動口の入賞数である特別入賞数、前記特別開放により生じた前記第２始動口の入賞に応じて前記役物が作動した回数である特別スタート、当該特別スタートを前記役物が作動した回数から除いた残スタート、前記特別開放により生じた前記第２始動口の入賞に応じて前記役物が作動したことにより発生した開放大当たり数、前記特別開放数と前記役物の作動数との割合を示すＫＳ、及び前記特別スタートと前記開放大当たり数との割合を示す開放ＴＳのうち少なくとも１つであることを特徴とする。
【０００８】
請求項２に記載した発明は、遊技盤面上に配置され、入賞に応じて大当たりを発生させるために作動する役物が始動する始動口として、第１始動口と、開放状態及び閉鎖状態へと変移可能であり、その開放状態として通常開放と、通常開放よりも入賞率の高い特別開放へと変移し得る第２始動口とを備え、前記第１始動口に入賞したことを示す第１始動信号と、前記第２始動口に入賞したことを示す第２始動信号とを出力可能な遊技機の遊技情報を遊技者に対して表示する遊技情報表示装置であって、前記第１始動信号と前記第２始動信号とを遊技信号として受信する受信手段と、前記受信手段による遊技信号の受信により前記第１始動口に入賞したこと、及び前記第２始動口に入賞したことを遊技情報として特定する遊技情報特定手段と、前記遊技情報特定手段により特定される遊技情報により、第１始動口に入賞してから、次に第１始動口に入賞するまでの第２始動口への入賞数、或いは前記第２始動口への入賞時点を基点とした予め設定される設定時間内の第２始動口への入賞数である判定Ｓを特定する判定情報特定手段と、前記特別開放が行われたことを特定するために前記判定Ｓに対して設定される基準値である基準Ｓを設定する設定手段と、前記判定Ｓと前記基準Ｓとを比較することにより前記特別開放が行われたか否かを判定する判定処理を行う判定手段と、前記判定結果により特定される遊技情報である特別開放情報を表示する表示手段と、前記判定手段により前記特別開放が行われた旨の判定結果が得られた場合に、前記判定Ｓを前記特別開放により生じた第２始動口の入賞数である特別入賞、及び当該入賞に応じて前記役物が作動した回数を示す特別スタートのうち少なくとも一方とし、前記特別開放情報として特定する開放情報特定手段と、を備えたことを特徴とする。
【００１０】
請求項３に記載した発明は、前記判定手段により前記特別開放が行われた旨の判定結果が得られた場合に、前記判定Ｓを前記特別開放により生じた第２始動口の入賞数である特別入賞、及び当該入賞に応じて前記役物が作動した回数を示す特別スタートのうち少なくとも一方とし、前記特別開放情報として特定する開放情報特定手段を備えたことを特徴とする。
【００１１】
請求項４に記載した発明は、前記遊技機は、前記役物が作動したことを示すスタート信号を出力可能であり、前記受信手段は、前記スタート信号を遊技信号として受信し、前記遊技情報特定手段は、前記受信手段による遊技信号の受信により前記役物が作動したことを遊技情報として特定し、前記開放情報特定手段は、前記判定手段により前記特別開放が行われた旨の判定結果が得られた場合に、前記判定Ｓを前記特別入賞とする一方、当該判定結果を得た後に前記遊技情報特定手段により前記役物が作動したことが特定された場合に、当該特別入賞を減算し、前記表示手段は、前記判定手段により前記特別開放が行われた旨の判定結果が得られたことを条件として前記遊技機が特別開放し、当該特別開放により前記第２始動口に入賞したことにより役物が作動していることを示す特別開放表示を開始し、前記開放情報特定手段により前記特別入賞が減算され、予め設定される終了値となることを条件として、当該特別開放表示を終了することを特徴とする。
【００１２】
請求項５に記載した発明は、前記遊技機は、大当たりの発生期間を特定可能な大当たり信号を出力可能であり、前記受信手段は、前記大当たり信号を遊技信号として受信し、前記遊技情報特定手段は、前記受信手段による遊技信号の受信により前記大当たりの発生期間を特定し、前記開放情報特定手段は、前記特別入賞を特定し、当該特別入賞が前記終了値となる前に大当たりが発生した場合に、当該大当たりを前記開放大当たりとし、前記特別開放情報として特定することを特徴とする。
【００１３】
請求項６に記載した発明は、前記遊技機は、通常状態よりも遊技者にとって有利な状態である特別状態を発生可能である一方、前記役物の作動中に前記第２始動口に入賞した場合に当該入賞に応じた前記役物の作動を所定の上限値まで保留可能であり、前記役物の作動を大当たり中には行わない一方、前記特別状態では行い、更に前記特別状態の発生期間を特定可能な特別状態信号と、大当たりの発生期間を特定可能な大当たり信号とを出力可能であり、前記受信手段は、前記特別状態信号と、前記大当たり信号とを遊技信号として受信し、前記遊技情報特定手段は、前記受信手段による遊技信号の受信により前記特別状態の発生期間、及び前記大当たりの発生期間を特定し、前記開放情報特定手段は、前記特別入賞を特定し、当該特別入賞が前記終了値となる前に大当たりが発生し、その後、通常状態へと移行した場合に、当該大当たりの終了後に特別状態が発生しなければ当該特別入賞を維持して前記特別開放表示を行う一方、特別状態が発生すれば当該特別入賞を初期化して前記特別開放表示を行わないことを特徴とする。
【発明の効果】
【００１４】
請求項１に記載した発明によれば、第１始動口に入賞してから次に第１始動口に入賞するまでの第２始動口への入賞数、或いは前記第２始動口への入賞時点を基点とした予め設定される設定時間内の第２始動口への入賞数である判定Ｓと、特別開放が行われたことを特定するための基準値である基準Ｓとを比較することにより特別開放が行われたか否かを判定し、その判定結果により特定される遊技情報である特別開放情報を表示するようにしたので、始動口における特定の開放態様に関わる遊技情報を、その開放態様を直接的に特定可能な遊技信号が出力されなくとも特定することができ、遊技者が把握したいと考える特別開放を考慮した遊技情報である特別開放情報を遊技者へと提供することができる。
【００１６】
又、特別開放情報として、特別開放数、特別入賞数、特別スタート、残スタート、開放大当たり数、ＫＳ、及び開放ＴＳのうち少なくとも１つを遊技者へと提供することができる。
【００１７】
請求項２、３に記載した発明によれば、特別入賞及び特別スタートのうち少なくとも一方を特定することができ、特別開放によりどの程度有利となっているかの指標を遊技者へと提供することができる。
【００１８】
請求項４に記載した発明によれば、特別開放表示を行うことにより、好適に特別開放に応じて遊技者を煽ることができる。
請求項５に記載した発明によれば、開放大当たりを特定することにより、特別開放により生じた大当たりを遊技者に把握させることができ、好適に特別開放をアピールすることができる。
【００１９】
請求項６に記載した発明によれば、特別開放による役物作動が保留されて特別開放表示を行っている状態で大当たりとなった場合に、その後に特別状態が発生するか否かにより、適切に特別開放表示を継続するか終了するかを特定することができる。
【図面の簡単な説明】
【００２０】
【図１】本発明の一実施形態を示す全体構成図
【図２】特別開放履歴を示す図
【図３】特別開放情報集計を示す図
【図４】情報表示装置の正面図
【図５】フローチャート
【発明を実施するための形態】
【００２１】
以下、本発明の一実施形態について、図面を参照して説明する。図１は、遊技場用システムの全体構成を概略的に示している。遊技場にはパチンコ遊技機（以下、遊技機と称する）１に対応して貸出機２及び情報表示装置３（遊技情報表示装置、受信手段、遊技情報特定手段、遊技情報特定手段、判定情報特定手段、設定手段、判定手段、表示手段、開放情報特定手段に相当）が設置されている。２台の遊技機１、２台の貸出機２及び２台の情報表示装置３は１台の中継装置４に接続されており、中継装置４はＬＡＮ５を介して管理装置６に接続されている。管理装置６は、例えば管理室に設置されており、遊技機１側（遊技機１、貸出機２等）から出力された遊技信号を中継装置４を介して受信する。尚、図１では省略しているが、数１００台の遊技機１が管理装置６の管理対象となる。
【００２２】
遊技機１は、所謂デジパチとしての周知の構成を有し、払出された遊技玉を受ける上部受皿７、上部受皿７から溢れた玉又は釦操作により上部受皿７から導かれた玉を受ける下部受皿８、上部受皿７の玉を遊技盤面（盤面）９に発射するためのハンドル１０等を備えて構成されている。遊技機１の遊技盤面９には、普図（普通図柄）入賞口１１、第１始動口１２、第２始動口１３、入賞口１４、第１始動口１２又は第２始動口１３への入賞に応じて表示図柄が変動する液晶表示部１５、液晶表示部１５に表示された図柄が大当たり図柄である場合に発生する大当たり時に開放する大入賞口１６等が設けられている。
【００２３】
遊技機１は以下のように動作する。
（１）第１始動口１２又は第２始動口１３への入賞に応じて大当たり抽選を行い、抽選結果に基づいて所謂特別図柄（特図）による図柄変動を液晶表示部１５にて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。又、保留玉は第２始動口１３を優先して図柄変動を行う。
（２）第１始動口１２は入賞率が変動しない所謂ヘソタイプの入賞口であり、第２始動口１２は後述する普図抽選によって入賞率が変動する所謂電チュータイプの入賞口である。
【００２４】
（３）大当たり抽選の当選確率（大当たり確率）は１／３００であり、大当たりのうち大当たり後に確変状態（確変）となる大当たりの割合は６６．６％（２／３）であり、大当たりが発生すると対応するラウンド（Ｒ）に応じた分（１５Ｒ分）だけ大入賞口１６を開放する。尚、１Ｒの上限入賞数は１０個であり、上限開放時間は３０秒であり、上限入賞数又は上限開放時間の何れかが満たされた場合に１Ｒを終了する。又、大当たり中には図柄変動（役物の作動）を行わない。
【００２５】
（４）確変中は大当たり確率が１／３０に向上すると共に、第２始動口１３への入賞率が向上する時短状態（時短）になる。尚、確変は次回の大当たりまで継続するので、大当たり後に通常状態（通常）となる大当たり（通常大当たり）が発生するまで継続し、通常大当たりが発生した場合は１００回のスタート分の時短を経て通常状態へと戻る。
【００２６】
（５）普図入賞口１１への入賞に応じて普図抽選を行うが、通常状態では８９／１００の確率で通常当たりとなる一方、１／１００の確率で特別当たりとなり、電チューが通常当たりでは０．３秒間の通常開放を行う一方、特別当たりでは７秒間の特別開放を行う。尚、時短中は通常当たり、特別当たり共に５秒間×２回の開放となる（時短中は従来と同じ）。
【００２７】
貸出機２は、遊技者が貨幣を投入するための貨幣投入口１７、遊技データ等の各種情報を表示する表示機能及び遊技者からの入力を受付ける入力受付機能を有するタッチパネル式の液晶表示部１８、遊技者が会員カードを挿入するためのカード挿入口１９、遊技者がカード挿入口１９に挿入されている会員カードを排出させるために操作する返却釦（排出釦）２０等を備えて構成されている。又、遊技機１の上部受皿７よりやや上方の位置に玉払出口２１が設けられていると共に、玉払出口２１を覆うように払出ノズル２２が設けられており、玉払出口２１から払出された遊技玉は払出ノズル２２を経由して上部受皿７に供給される。
【００２８】
貸出機２は、所謂カード式であり、受付けた貨幣に対応するカードを内部的に発行し、遊技機１に設けられる図示しない貸出釦の押下に応じて、発行したカードに対応する貨幣（有価価値）を対価として玉を貸出すべく貸出信号を遊技機１に送信して遊技機１から玉を払出させることで貸出処理を実行する。貸出機２は、ＣＰＵからなる制御部、ＣＦ（コンパクトフラッシュ（登録商標））、ＲＡＭ及びＲＯＭ等からなる記憶部、Ｉ／Ｆからなる送受信部等を備えており、各種信号や各種情報を中継装置４を介して送受信する。
【００２９】
遊技機１側からは次に示す遊技信号が出力される。
「アウト信号」：使用玉（使用媒体）を回収するアウトＢＯＸから出力される使用玉数（アウト、使用媒体数）を特定可能な信号である。回収（使用、打込）玉１０玉に対して１パルスが出力されるので、「アウト信号数×１０」をアウトとして特定する。尚、遊技機１から出力される信号であっても良い。
【００３０】
「セーフ信号」：遊技機１から出力される払出玉数（セーフ、払出媒体数）を特定可能な信号である。遊技機１での遊技（入賞）に応じた払出１０玉に対して１パルスが出力されるので、「セーフ信号数×１０」をセーフとして特定する。尚、補給装置から出力される補給信号をセーフ信号としても良い。
【００３１】
「第１始動信号」：遊技機１から出力される第１始動口１２への入賞数を特定可能な信号である。第１始動口１２に入賞した場合に出力されるので、「第１始動信号数×１」を第１始動入賞数として特定する。尚、第１始動口１２に入賞したことを示す信号でもある。
「第２始動信号」：遊技機１から出力される第２始動口１３への入賞数を特定可能な信号である。第２始動口１３に入賞した場合に出力されるので、「第２始動信号数×１」を第２始動入賞数として特定する。尚、第２始動口１３に入賞したことを示す一方、第２始動口１３に入賞したことを第１始動口１２に入賞したことと区別して特定可能な信号でもある。
【００３２】
「スタート信号」：遊技機１から出力される図柄変動数（役物作動数、スタート）を特定可能な信号である。第１始動口１２又は第２始動口１３への入賞により変動（作動）する液晶表示部１５（役物）における図柄変動（役物作動、スタート処理）１回につき１パルスが出力されるので、「スタート信号数×１」をスタートとして特定する。
【００３３】
「大当たり信号」：遊技機１から出力される特別状態である大当たりを特定可能な特別状態信号である。大当たり中にレベル出力される状態信号であるので、大当たり信号受信中を大当たり中として特定する。
【００３４】
「確変信号」：遊技機１から出力される特別状態を特定可能な特別状態信号である。大当たり確率が向上する確変中等の大当たりを通常状態よりも発生させ易い状態である確変状態中にレベル出力される状態信号であるので、確変信号受信中を特別状態中として特定する。尚、確変中だけでなく、第１始動口１２又は第２始動口１３への入賞率が向上する時短中にレベル出力される状態信号（時短信号）であっても良い。又、上記した大当たり信号、及び確変信号の何れも受信していない期間を遊技機１が通常状態であると特定する。即ち、大当たり信号、及び確変信号は遊技機１の遊技状態を特定可能な信号である。
【００３５】
「売上信号」：貸出機２から出力される売上情報（売上玉数、売上額）を特定可能な信号である。遊技者に対する有価価値を対価とした貸出玉２５玉毎に１パルスが出力されるので、「売上信号数×２５」を売上玉数として特定し、「売上玉数×貸出単価（例えば４円）」を売上額として特定する。
【００３６】
図４は、情報表示装置３の正面図を示している。情報表示装置３は、複数のデータ切替釦を含むデータ切替釦群２２、呼出釦２３及び液晶表示部２４等が設けられて構成されている。情報表示装置３は、ＣＰＵからなる制御部、ＣＦ（コンパクトフラッシュ（登録商標））、ＲＡＭ、ＲＯＭからなる記憶部、Ｉ／Ｆからなる送受信部等を備えており、各種信号や各種情報を中継装置４を介して送受信する。
【００３７】
情報表示装置３は、図２に示す特別開放履歴を管理し、後述する特別開放フラグを「１」に設定した場合、又は大当たりが発生（終了）した場合にレコードを作成する一方、後述する開放情報特定処理（図５）に示すように特別開放と開放大当たりとを判定し、特別開放や特別変動等の遊技情報や図３に示す特別開放情報集計を管理する。図２に示す特別開放履歴における各項目の意味は次の通りである。
【００３８】
「図柄変動」：スタート信号により特定されるスタート（図柄変動数）である。
「特別開放」：第２始動口１３が特別開放した回数である。後述する開放情報特定処理により特定される。
【００３９】
「特別変動」：第２始動口１３の特別開放による入賞に応じたスタートである。開放Ｓの最大値の合計＝減算分を除いた開放Ｓの合計である。
「残変動」：スタートのうち特別変動を除いたスタートである。「図柄変動−特別変動」の演算式により求める。
「大当」：発生した大当たり数（初当たりも含む）である。
【００４０】
図２は、開放演出フラグを「１」に設定した時点をレコード作成タイミングとした特別開放を特定した毎の遊技履歴である特別開放履歴である。尚、通常状態にて発生した大当たりである初当たりを特定した場合にもレコードを作成し、それらを区別できるように初当たりに対応するレコードにはＮＯを丸数字としている（例えば「１」、「５」、「１０」）。即ち、通常の数字が特別開放数に対応する。「ＮＯ５（丸数字）」のレコードを識別表示しているのは発生大当たりが開放大当たりであったためである。更に、その開放大当たりとなるための特別開放フラグを「１」に設定した特別開放に対応した「ＮＯ１５」も識別表示している。尚、説明を簡略化するために確変中を対象外とし、その図柄変動数を管理対象としていないが、確変中にもレコードを作成し、確変中の図柄変動等を管理対象としても良い。
【００４１】
図２に示した特別開放履歴では大当たりの発生レコードも対象としているが、履歴レコードとして、特別開放、初当たり、又は全ての大当たりに対応するレコードの何れかのみを管理対象としても良い。「ＮＯ１５」のように開放大当たりとなるための特別開放フラグを「１」に設定した特別開放に対応したレコードだけを抽出した特別開放履歴を管理対象としても良い。情報表示装置３は、図２に示した特別開放履歴を管理することで、図３に示す特別開放情報集計を集計したり、図４に示すように各種情報を表示したりすることが可能である。図３に示す特別開放情報集計における各項目の意味は次の通りである。尚、「図柄変動」、「特別開放」、「特別変動」、「残変動」は、図２に示した特別開放履歴の合計である。
【００４２】
「初当」：通常状態において発生した大当たり数である。図２に示した特別開放履歴の丸数字のレコード数に対応する。
「ＴＳ」：初当たりとなるまでの平均スタートである。「図柄変動÷初当」の演算式により求める。
【００４３】
「ＫＳ」：特別開放となるまでの平均スタートである。「残変動÷特別開放」の演算式により求める。尚、残変動に代えて図柄変動を対象としても良い。
「開放大当」：開放大当たり数である。後述する開放情報特定処理により特定される。
【００４４】
「平均開放」：初当たりとなるまでの平均特別開放数である。「特別開放÷初当」の演算式により求める。
「開放ＴＳ」：開放大当たりとなるまでの平均特別変動数である。「特別変動÷開放大当」の演算式により求める。
ＴＳ、ＫＳ、平均開放、開放ＴＳは、逆数となる入賞率を示す情報を管理対象としても良い。更に、初当たりに代えて大当たり数を演算対象としても良い。
【００４５】
図４は、図２に示した特別開放履歴及び図３に示した特別開放情報集計の遊技情報（特別開放情報に相当）が情報表示装置３の液晶表示部２４に表示される態様を示している。この場合、遊技機１の状態（特別開放中）が状態表示部２４ａに表示され、大当たり数、初当たり数、累計の図柄変動数が累計情報表示部２４ｂに表示され、図柄変動数が図柄変動数表示部２４ｃに表示され、特別開放数、特別変動数が開放情報履歴表示部２４ｄに表示され（只今は現レコードに対応し、累計は営業開始時からに対応する）、開放履歴が開放履歴表示部２４ｅに表示され（図２に示した特別開放履歴の前レコードの図柄変動数に対応する）、ＫＳ、開放大当たり、平均開放、開放ＴＳが特別開放集計情報表示部２４ｆに表示され、テロップがテロップ表示部２４ｇに表示される。
【００４６】
中継装置４は、ＣＰＵからなる制御部、ＣＦ（コンパクトフラッシュ（登録商標））、ＲＡＭ及びＲＯＭ等からなる記憶部、Ｉ／Ｆからなる送受信部等を備えており、各種信号や各種情報を送受信する（中継する）。
【００４７】
次に、上記した構成の作用について、図５を参照して説明する。図５は、情報表示装置３が本発明に関連して行う開放情報特定処理を示している。
情報表示装置３は、開放情報特定処理を開始すると、遊技機１から第１始動信号を受信したか否かを判定する（Ｓ１）。情報表示装置３は、第１始動口１２に入賞したことに応じて遊技機１から第１始動信号を受信したと判定すると（Ｓ１：ＹＥＳ）、判定Ｓを初期化し（Ｓ２）、判定停止フラグを「０」に設定する（Ｓ３）。ここで、判定Ｓは、特別開放を特定するための第２始動口１３の入賞数に対応し、第１始動信号の受信毎に初期化される第１始動口１２への入賞間の第２始動口１３への入賞数である。又、判定停止フラグは、特別開放を特定した場合に「１」が設定され、その後は第１始動口１２に入賞するまで特別開放の判定を行わないことを示すフラグである。即ち、第１始動信号の受信間に最高で１回の特別開放を特定する。
【００４８】
又、情報表示装置３は、遊技機１から第２始動信号を受信したか否かを判定する（Ｓ４）。情報表示装置３は、第２始動口１３に入賞したことに応じて遊技機１から第２始動信号を受信したと判定すると（Ｓ４：ＹＥＳ）、判定停止フラグを「０」に設定しているか否か、即ち、特別開放を特定しているか否かを判定する（Ｓ５）。情報表示装置３は、判定停止フラグを「０」に設定している、即ち、特別開放を特定していないと判定すると（Ｓ５：ＹＥＳ）、判定Ｓを加算し（Ｓ６）、判定Ｓが基準Ｓ以上であるか否かを判定する（Ｓ７）。基準Ｓは、上記した判定Ｓに対する設定値であり、遊技機１にて電チューの特別開放があった場合の第２始動口１３への入賞数よりも小さく、通常開放があった場合の第２始動口１３への入賞数よりも大きいことが想定される値を設定する。本実施形態では前者を「４」、後者を「１」として想定し、基準Ｓを「３」として設定した。
【００４９】
情報表示装置３は、判定Ｓが基準Ｓ以上であると判定すると（Ｓ７：ＹＥＳ）、特別開放数を加算し（Ｓ８）、判定停止フラグを「１」に設定すると共に、特別開放フラグを「１」に設定し（Ｓ９）、開放Ｓに判定Ｓを設定する（Ｓ１０）。即ち、情報表示装置３は、判定停止フラグを「０」に設定するまで、遊技機１から第２始動信号を受信する毎に特別開放が発生したか否かを判定し、その判定結果に応じて特別開放数を加算する。一方、情報表示装置３は、判定停止フラグを「０」に設定していない（「１」を設定している）、即ち、特別開放を特定していると判定すると（Ｓ５：ＮＯ）、開放Ｓを加算する（Ｓ１１）。尚、別途、第２始動口１３に対応する保留数に対応した設定値（例えば「５」）を設定し、その設定値以上となる場合は加算しないようにしても良い。
【００５０】
又、情報表示装置３は、特別開放フラグを「１」に設定しているか否かを判定し（Ｓ１２）、特別開放フラグを「１」に設定していると判定すると（Ｓ１２：ＹＥＳ）、遊技機１からスタート信号を受信したか否かを判定し（Ｓ１３）、遊技機１からスタート信号を受信したと判定すると（Ｓ１３：ＹＥＳ）、開放演出フラグを「１」に設定しているか否かを判定する（Ｓ１４）。
【００５１】
情報表示装置３は、開放演出フラグを「１」に設定していない（「０」を設定している）と判定すると（Ｓ１４：ＮＯ）、開放演出フラグを「１」に設定し（Ｓ１８）、特別開放による図柄変動が行われていることを演出する図４に示した開放演出表示を液晶表示部２４にて開始する一方、開放演出フラグを「１」に設定していると判定すると（Ｓ１４：ＹＥＳ）、開放Ｓを減算し（Ｓ１５）、開放Ｓが「０」になったか否かを判定する（Ｓ１６）。
【００５２】
情報表示装置３は、開放Ｓが「０」になったと判定すると（Ｓ１６：ＹＥＳ）、特別開放フラグを「０」に設定すると共に、開放演出フラグを「０」に設定し（Ｓ１７）、開放演出表示を終了する。即ち、特別開放フラグは、特別開放を特定したことを示すフラグであり、開放演出フラグは、特別開放中の始動入賞に起因する図柄変動中であると特定していることを示すフラグである。ここで、特別開放フラグと開放演出フラグとを別フラグとし、特別開放フラグを「１」に設定した後、その後のスタート信号の受信により開放演出フラグを「１」に設定したのは、特別開放は第１始動口１２への入賞に起因する図柄変動中に行われることが殆どであり、その特定後の図柄変動確定を示すスタート信号は第１始動口１２への入賞に起因する図柄変動に対応すると見做し、開放Ｓを減算しないためである。
【００５３】
又、情報表示装置３は、遊技機１からの大当たり信号の受信を開始したか否かを判定し（Ｓ１９）、遊技機１からの大当たり信号の受信を開始したと判定すると（Ｓ１９：ＹＥＳ）、開放演出フラグを「１」に設定しているか否かを判定する（Ｓ２０）。情報表示装置３は、開放演出フラグを「１」に設定していると判定すると（Ｓ２０：ＹＥＳ）、発生大当たりに開放大当たりとし（Ｓ２１）、遊技機１からの大当たり信号の受信を終了したか否かを判定する（Ｓ２２）。
【００５４】
情報表示装置３は、遊技機１からの大当たり信号の受信を終了したと判定すると（Ｓ２２：ＹＥＳ）、判定停止フラグを「０」に設定し（Ｓ２３）、遊技機１からの確変信号の受信を開始したか否かを判定し（Ｓ２４）、遊技機１からの確変信号の受信を開始したと判定すると（Ｓ２４：ＹＥＳ）、確変フラグを「１」に設定する（Ｓ２５）。一方、情報表示装置３は、遊技機１からの確変信号の受信を開始していないと判定すると（Ｓ２４：ＮＯ）、特別開放数を初期化すると共に、判定Ｓを初期化し（Ｓ２６）、確変フラグを「０」に設定する（Ｓ２７）。大当たり終了後に確変が発生しなかった場合に、上記したように特別開放数を初期化すると共に、判定Ｓを初期化する一方、特別開放フラグ等のフラグや開放Ｓを初期化しないのは、大当たり終了後に大当たり前に発生した特別開放による第２始動口１３への入賞に起因する図柄変動を考慮したためである。
【００５５】
又、情報表示装置３は、確変フラグを「１」に設定しているか否かを判定し（Ｓ２８）、確変フラグを「１」に設定していると判定すると（Ｓ２８：ＹＥＳ）、遊技機１からの確変信号の受信を終了したか否かを判定し（Ｓ２９）、遊技機１からの確変信号の受信を終了したと判定すると（Ｓ２９：ＹＥＳ）、確変フラグを「０」に設定し、特別開放フラグを「０」に設定すると共に、開放演出フラグを「０」に設定し（Ｓ３０）、開放Ｓを初期化する（Ｓ３１）。確変の終了後に確変フラグを「０」に設定し、特別開放フラグを「０」に設定すると共に、開放演出フラグを「０」に設定し、開放Ｓを初期化するのは、確変中に大当たり前に発生した特別開放による第２始動口１３への入賞に起因する図柄変動が実行済みとなることを考慮したためである。
【００５６】
情報表示装置３は、大当たり発生後に確変が発生しない場合や確変が終了した場合、即ち、通常状態へと戻った場合には図２に示すレコードを作成する。尚、図４に示した開放演出表示は通常状態中のみが表示対象期間である。情報表示装置３は、図２に示した特別開放履歴及び図３に示した特別開放情報集計の遊技情報を図４に示した開放演出表示として開放演出フラグが「１」である場合に液晶表示部２４にて抽出表示するが、データ切替釦が操作されることで、そのまま表示することも可能である。尚、テロップ表示部２４ｇに表示されるテロップ（文章）は予め設定されている。
【００５７】
以上に説明したように本実施形態によれば、情報表示装置３において、第１始動口１２に入賞してから次に第１始動口１２に入賞するまでの第２始動口１３への入賞数である判定Ｓと、特別開放が行われたことを特定するための基準値である基準Ｓとを比較することにより特別開放が行われたか否かを判定し、その判定結果により特定される遊技情報である特別開放情報（特別開放数、特別変動数等）を表示するようにしたので、始動口における特定の開放態様に関わる遊技情報を、その開放態様を直接的に特定可能な遊技信号が出力されなくとも特定することができ、遊技者が把握したいと考える特別開放を考慮した遊技情報である特別開放情報を遊技者へと提供することができる。
【００５８】
本発明は、上記した実施形態にのみ限定されるものではなく、以下のように変形又は拡張することができる。
確変終了時には必ず時短を経て通常へと戻る遊技機を想定しているため、確変中の大当たり終了後にそのまま通常状態へと戻った場合を特に考慮せず、通常状態で通常大当たりが発生した場合と同様の処理としたが、この場合に確変信号の受信終了による処理と同様の処理としても良い。
【００５９】
第２始動口として電チュータイプを例示したが、例えば開放時に玉の導出口が突出するような所謂ベロタイプの入賞口や、大入賞口のような所謂アタッカタイプの入賞口等、開放時間、又は開放数等が異なることで、入賞率の異なる特別開放、及び通常開放の２つの開放状態へと閉鎖状態から変移し得る入賞口であれば、どのような入賞口を対象としても良い。勿論、入賞率が開放状態よりも低ければ閉鎖状態にて入賞可能としても良い。
【００６０】
第１始動信号の受信毎に判定Ｓを初期化することで第１始動入賞間の第２始動入賞数を示す判定Ｓを特定したが、例えば第２始動入賞数の累計値に第１始動入賞を対応付けて管理し、第２始動入賞が第１始動入賞することなく連続した場合に、その連続した最初の第２始動入賞数の累計値を、連続した最後の第２始動入賞数の累計値から減算することで判定Ｓを特定する等、どのような特定方法であっても良い。
【００６１】
実施形態で説明した数値や項目等は全て例示であり、どのような数値や項目等を採用しても良い。又、対象となる遊技機としては、例示したパチンコ遊技機以外のパチンコ遊技機等であっても良い。
【００６２】
情報表示装置が行う情報処理の一部を中継装置や管理装置等にて行う構成としても良い。又、情報表示装置を貸出機とする等、その設置場所や構成等は特に限定されない。
本実施形態では第２始動口への入賞に起因する保留玉による図柄変動の実行を優先する遊技機を対象としたので、開放演出フラグを特別開放フラグが「１」となってから１回分のスタートを特定することにより「１」としたが、始動入賞順に図柄変動を実行する遊技機を対象とする場合には、始動入賞数の合計値と図柄変動数との差引を保留している図柄変動数として監視し、更に、その保留分のスタートを特定してから開放演出フラグを「１」としても良い。この場合、勿論、保留数の上限を考慮する必要がある。
【００６３】
第２始動信号を受信してから所定時間（例えば１０秒）作動する始動タイマを設け、その始動タイマ作動中の（起因となった第２始動信号も含めた）第２始動信号の受信回数を判定Ｓとして計数し、その判定Ｓが基準Ｓとなった場合に特別開放が実行されたことを特定するようにしても良い。即ち、第２始動口への入賞時点を基点とした予め設定される設定時間内の第２始動口への入賞数を判定Ｓとしても良い。この場合、始動タイマは第２始動信号の受信毎に始動させても良いし、停止していることを条件の１つとして作動させても良いが、判定Ｓはタイムアップを条件として初期化する必要がある。
【符号の説明】
【００６４】
図面中、１は遊技機、３は情報表示装置（遊技情報表示装置、受信手段、遊技情報特定手段、遊技情報特定手段、判定情報特定手段、設定手段、判定手段、表示手段、開放情報特定手段）、９は遊技盤面、１２は第１始動口、１３は第２始動口である。
【図１】
0005587745.tif 000002
【図２】
0005587745.tif 000003
【図３】
0005587745.tif 000004
【図４】
0005587745.tif 000005
【図５】
0005587745.tif 000006